(57)【要約】  広告を見せるための表示システムであって、棚テレビ（１２）を有しており、該テレビはディスプレー（１４）とスピーカー（１６）とを有している。近接センサー（７５、１５０、３００）がテレビへの人間の接近を感知してテレビのスイッチをオンにし、これにより広告が表示される。減衰回路がタイマー（１８０）とリレー（１８９）とＭＯＳＦＥＴ（１９８）とを有しており、スピーカーに供給される音量を減衰する。人間がテレビスクリーンに近づくと、音量が快適なレベルに低減される。
2007514206.tif 000002
【特許請求の範囲】
【請求項１】
表示システムであって、該システムにより表示されるべきデータを含んだデータ媒体と、該データを表示する表示スクリーンと、表示システム近くにおける人間の存在を検知してデータを表示スクリーン上に表示されるべくシステムを励動する近接センサーとを含んでなる表示システム。
【請求項２】
データ媒体と表示スクリーンとがテレビモニターとして形成されていることを特徴とする請求項１に記載のシステム。
【請求項３】
前記モニターがモニターを商店の棚上に取り付ける取付け手段を有していることを特徴とする請求項２に記載のシステム。
【請求項４】
データ媒体がデータを含んだコンパクトディスク、フラッシュメモリー記憶素子または磁気テープを有していることを特徴とする請求項１に記載のシステム。
【請求項５】
さらに音響データを出力する少なくとも１個のスピーカーと音響出力を比較的高い音量から比較的低い音量に変える人間のシステムへの接近を表わす高低音量制御器とを有していることを特徴とする請求項１に記載のシステム。
【請求項６】
制御器が所定の時間に亙って音量を比較的高い音量から比較的低い音量に変えることを特徴とする請求項５に記載のシステム。
【請求項７】
近接センサーが光センサーであることを特徴とする請求項１に記載のシステム。
【請求項８】
光センサーが光感知レジスターであることを特徴とする請求項７に記載のシステム。
【請求項９】
センサーがスイッチ要素を操作し、該スイッチ要素がリレーを操作して電力をシステムに供給させてデータを表示すべくシステムを励動することを特徴とする請求項１に記載のシステム。
【請求項１０】
センサーが電源に並列に接続されて電流を第１のトランジスターに供給し、第２のトランジスターが電源に並列にかつリレーに直列に接続されており、第１のトランジスターが電源に接続されてセンサーが光を受けたときに電流が第１のトランジスターに供給されて、トランジスターをオンに切り換えて電流が第２のトランジスターに供給されないようにし、センサーが人間のシステムへの接近を示す少ない光を受けたときに、第１のトランジスターがオフに切り換えられて、該トランジスターが電流を第２のトランジスターに供給して第２のトランジスターをオンに切り換えリレーを励動してリレースイッチを閉じて、電力がシステムに供給されてデータ媒体がデータを出力して表示スクリーン上に表示させることを特徴とする請求項９に記載のシステム。
【請求項１１】
さらにタイマー回路が設けられていて、システムに電力を維持して所定時間表示を維持することを特徴とする請求項１に記載のシステム。
【請求項１２】
音量制御器が信号分割器を有しており、該分割器が増幅器の入力端に接続されており、該増幅器が少なくとも１個のスピーカーに音響信号を供給し、分割器がさらにトランジスターに接続されおり、充電要素が該トランジスターに接続されていて、充電要素が充電したときにトランジスターが徐々にオンにされて、信号分割器が増幅器に供給される信号の量を低減し、増幅器が少なくとも１個のスピーカーから出力される音響データの音量を低減することを特徴とする請求項５に記載のシステム。
【請求項１３】
音量制御器が充電素子が充電する期間を設定するタイマーを有しており、トランジスターがオンにされて音量が比較的高い音量から比較的低い音量に変化する期間が設定されることを特徴とする請求項１２に記載のシステム。
【請求項１４】
充電要素がコンデンサーであることを特徴とする請求項１３に記載のシステム。
【請求項１５】
近接センサーが演算増幅器部分に接続されており、該増幅器は人間が検知されたときにセンサーから出力を受け、ウインドー比較器が増幅器からの出力を受けて制御出力を生じ、タイマー回路が該制御出力を受けてデータ媒体を励動する励動出力を与えて表示スクリーンに表示を行わしめるとともにデータを上演させ、所定の時間遅れ後にタイマー回路によりデータ媒体をスイッチオフして表示スクリーンとスピーカーにデータの表示と上演とを行わしめることを特徴とする請求項１に記載のシステム。
【請求項１６】
タイマー回路からの励動信号が減衰タイマー回路を励動して、ある時間に亙って音響データの音量の減衰を励動させることを特徴とする請求項１５に記載のシステム。
【請求項１７】
減衰回路がコンデンサーおよび可変抵抗に接続された酸化金属半導体電界効果（ＭＯＳＦＥＴ）トランジスターを有しており、可変抵抗が音響データを受ける入力端と音響データをスピーカーに供給する出力端とを有しており、コンデンサーが充電されると、ＭＯＳＦＥＴトランジスターが徐々にオンにされて可変抵抗をアースし、これにより可変抵抗の出力端に供給された音響信号の減衰が行われることを特徴とする請求項１６に記載のシステム。
【請求項１８】
データがさらに音響データを含んでおり、減衰タイマー回路がある時間に亙って音響データの音量を減衰し、タイマー回路が減衰タイマー回路を励動することを特徴とする請求項１に記載のシステム。
【請求項１９】
データが複数の分離した広告を含んでおり、広告タイマー回路が表示されるべき広告の数の信号表示を出力し、スイッチが表示されるべき広告の数に応じて広告回路の出力端を選択的に切り換えるとともにタイマーを切るべく信号を出力し、広告が表示された後で減衰回路を切ることを特徴とする請求項１８に記載のシステム。
【請求項２０】
スイッチの出力端がトランジスターに接続されており、該トランジスターはスイッチからの出力によりスイッチオンされてタイマー回路に所定の信号を供給してタイマー回路をリセットすることを特徴とする請求項１９に記載のシステム。
【請求項２１】
減衰回路がコンデンサーとＭＯＳＦＥＴトランジスターとを有しており、該トランジスターは可変抵抗に接続されており、可変抵抗が音響データを受ける入力端とスピーカーに音響データを供給する出力端とを有しており、コンデンサーが充電されると、ＭＯＳＦＥＴトランジスターが徐々にオンにされて可変抵抗をアースし、これにより可変抵抗の出力端に供給された音響信号の減衰が行われることを特徴とする請求項２０に記載のシステム。
【請求項２２】
システムにより表示されかつ上演されるべきビデオデータと音響データとを含むためのデータ媒体と、データを表示・上演するための表示スクリーンおよび少なくとも１個のスピーカーと、表示システム近くにおける人間の存在を検知して少なくとも１個のスピーカーからの音響データ出力の音量を調節する近接センサーとを有してなる表示システム。
【請求項２３】
データ媒体と表示スクリーンとがテレビモニターとして形成されていることを特徴とする請求項２２に記載のシステム。
【請求項２４】
モニターがモニターを商店の棚に取り付ける取付け手段を有していることを特徴とする請求項２３に記載のシステム。
【請求項２５】
データ媒体がデータを含んだコンパクトディスク、フラシュメモリー記憶素子、磁気テープなどを含んでいることを特徴とする請求項２２に記載のシステム。
【請求項２６】
近接センサーがタイマーを励動し、タイマーが所定時間に亙って音量を低減させ、その時間に亙って人間がよりシステムに近づくであろうとの仮定の上に音量が調節されることを特徴とする請求項２２に記載のシステム。
【請求項２７】
近接センサーが光センサーを含んでいることを特徴とする請求項２２に記載のシステム。
【請求項２８】
光センサーが光検知レジスターであることを特徴とする請求項２７に記載のシステム。
【請求項２９】
近接センサーが赤外線運動センサーであり、該運動センサーは人間がセンサーの近くにいるときに人体により発生される熱により励動されることを特徴とする請求項２２に記載のシステム。
【請求項３０】
センサーがスイッチ要素を駆動し、該スイッチ要素がリレーを駆動してシステムを励動してデータを表示させるべく電力をシステムに供給させることを特徴とする請求項２２に記載のシステム。
【請求項３１】
減衰タイマー回路が設けられていて、ある時間に亘って音響データの音量を減衰し、タイマー回路が減衰タイマー回路を励動することを特徴とする請求項２２に記載のシステム。
【請求項３２】
データが複数の分離した広告を含んでおり、広告タイマー回路が表示されるべき広告の数を表す信号を出力し、スイッチが表示されるべき広告の数に応じて広告回路の出力を選択的に切り換えかつタイマーをきる信号を出力し、これにより広告が表示された後で減衰回路を切ることを特徴とする請求項３１に記載のシステム。
【請求項３３】
スイッチの出力端がトランジスターに接続されており、該トランジスターがスイッチからの出力によりスイッチオンされて所定の信号をタイマー回路に供給してタイマー回路をリセットすることを特徴とする請求項３２に記載のシステム。
【請求項３４】
減衰回路がコンデンサーおよび可変抵抗に接続されたＭＯＳＦＥＴトランジスターを有しており、可変抵抗が音響データを受ける入力端と音響データをスピーカーに供給する出力端とを有しており、コンデンサーが充電されると、ＭＯＳＦＥＴトランジスターが徐々にオンにされて可変抵抗をアースさせ、これにより可変抵抗の出力端に供給された音響信号の減衰を行わせることを特徴とする請求項３３に記載のシステム。
【請求項３５】
広告を放送する広告装置であって、広告に関係しかつ音響データを含むデータを含んだデータ媒体と、音響データを出力する少なくとも１個のスピーカーと、音量設定制御器とを有してなり、該制御器はまずスピーカーにより放送される音響データの音量を比較的高い音量に設定し、ついで比較的低い音量に音量を低減することを特徴とする広告装置。
【請求項３６】
さらに近接センサーが設けられていて、装置の近くにおける人間の存在を検知して、かつデータ媒体をしてユニットによる放送のためにデータを供給させることを特徴とする請求項３５に記載の装置。
【請求項３７】
表示スクリーンが設けられており、データが表示スクリーン上に表示するためにビデオデータを含んでいることを特徴とする請求項３５に記載の装置。
【請求項３８】
データ媒体と表示スクリーンとがテレビモニターとして形成されていることを特徴とする請求項３７に記載の装置。
【請求項３９】
モニターがモニターを商店の棚に取り付ける取付け手段を有していることを特徴とする請求項３８に記載の装置。
【請求項４０】
データ媒体がデータを含んだコンパクトディスク、フラッシュメモリー記憶素子、磁気テープなどを有していることを特徴とする請求項３５に記載の装置。
【請求項４１】
近接センサーが光センサーを有していることを特徴とする請求項３６に記載の装置。
【請求項４２】
光センサーが光感知レジスターであることを特徴とする請求項４１に記載の装置。
【請求項４３】
センサーがスイッチ要素を駆動し、スイッチ要素がリレーを駆動してシステムを励動してデータを表示させるべく電力をシステムに供給させることを特徴とする請求項３６に記載の装置。
【請求項４４】
近接センサーが赤外線運動センサーを有しており、該運動センサーが人間がセンサーの近くにいるときに人体により発生される熱により励動されることを特徴とする請求項３６に記載の装置。
【請求項４５】
センサーが電源に並列接続されて電流を第１のトランジスターに供給し、第２のトランジスターが電源に並列接続されるとともにリレーに直列接続されており、第１のトランジスターも電源に接続されており、センサーが光を受けると、電流が第１のトランジスターに供給されてトランジスターをスイッチオンし、電流は第２のトランジスターには供給されず、システムへの人間の接近を示すより少ない光をセンサーが受けると、第１のトランジスターがスイッチオフされて第２のトランジスターに電流を供給して第２のトランジスターをスイッチオンし、第２のトランジスターがリレーを励動してリレースイッチを閉じさせ、これにより電力がシステムに供給されてデータ媒体が表示スクリーン上での表示のためにデータを出力することを特徴とする請求項４３に記載の装置。
【請求項４６】
タイマー回路が設けられていてシステムへの電力を維持して、所定の時間に渡り表示を維持することを特徴とする請求項４５に記載の装置。
【請求項４７】
音量制御器が信号分割器を有しており、信号分割器が少なくとも１個のスピーカーに音響信号を供給する増幅器入力端に接続されており、分割器もトランジスターに接続されており、充電要素がトランジスターに接続されており、これにより充電要素が充電したときに、トランジスターが徐々にオンにされて、信号分割器が信号の量を低減し、該信号は増幅器に供給されて少なくとも１個のスピーカーから出力される音響データの音量を低減することを特徴とする請求項３５に記載の装置。
【請求項４８】
音量制御器が充電素子が充電する時間を設定するためのタイマーを有しており、トランジスターがオンとされて音量が比較的高い音量から比較的低い音量に変化する時間が設定されることを特徴とする請求項４７に記載の装置。
【請求項４９】
充電要素がコンデンサーであることを特徴とする請求項４８に記載の装置。
【請求項５０】
近接センサーが演算増幅器部分に接続されており、人間が検知されたときに該増幅器部分がセンサーからの出力を受け、ウインドー比較器が増幅器部分からの出力を受けて制御出力を形成し、タイマー回路が制御出力を受けてデータ媒体を励動する励動出力を与え、データ媒体が表示スクリーンにデータを表示しかつ上演するようにさせ、タイマー回路により設定される所定の時間遅れの後でデータ媒体がスイッチオフされて、データが表示スクリーンおよびスピーカーで表示・上演されることを特徴とする請求項３６に記載の装置。
【請求項５１】
タイマー回路からの励動信号が減衰タイマー回路を励動して、ある時間に亘って音響データの音量を減衰させることを特徴とする請求項５０に記載の装置。
【請求項５２】
減衰回路がコンデンサーとＭＯＳＦＥＴトランジスターを有しており、該トランジスターが可変抵抗に接続されており、可変抵抗が音響データを受ける入力端とスピーカーに音響データを供給する出力端とを有しており、コンデンサーが充電するとＭＯＳＦＥＴトランジスターが徐々にオンにされて可変抵抗をアースし、これにより可変抵抗の出力端に供給される音響信号が減衰されることを特徴とする請求項５１に記載の装置。
【請求項５３】
制御器が減衰タイマー回路を有しており、該タイマー回路がある時間に亘って音響データの音量を減衰し、タイマー回路が減衰タイマー回路を励動することを特徴とする請求項３５に記載の装置。
【請求項５４】
データが複数の分離した広告を含んでおり、広告タイマー回路が表示されるべき広告の数を表す信号を出力し、スイッチが表示されるべき広告の数に応じて広告回路の出力に選択的に切り換わり、信号が出力されてタイマーが切られ、広告が表示された後で減衰回路が切られることを特徴とする請求項５３に記載の装置。
【請求項５５】
スイッチの出力端がトランジスターに接続されており、トランジスターがスイッチからの出力端によりスイッチオンされて所定の信号をタイマー回路に供給してタイマー回路をリセットすることを特徴とする請求項５４に記載の装置。
【請求項５６】
減衰回路がコンデンサーとＭＯＳＦＥＴトランジスターとを有しており、該トランジスターが可変抵抗に接続されており、該可変抵抗が音響データを受ける入力端と音響データをスピーカーに供給する出力端とを有しており、コンデンサーが充電すると、ＭＯＳＦＥＴトランジスターが徐々にオンにされて可変抵抗をアースし、これにより可変抵抗の出力端に供給される音響信号が減衰されることを特徴とする請求項５５に記載の装置。
【発明の詳細な説明】
【技術分野】
【０００１】
この発明は表示システムに関するものであり、特にデパートや他の小売店内の場所のための近くにある販売用の商品に客を惹きつけるための広告類が表示される棚テレビに関するものである。
【背景技術】
【０００２】
広告物の情報を表示するシステムはよく知られている。通常それらのシステムは高価でありまた複雑であり、遠隔地からデパートまたは他の小売店に配置された多数の異なる表示ユニットに広告が供給されるものである。
【０００３】
一般に、広告物は遠隔地から通信リンクを介して供給され、該リンクはサーバー専用のラインであり、該サーバーはデパート内の１個または一群の表示ユニットを制御している。またサーバーは広告物を装置上に表示するためにダウンロードする。通常広告物はループ内を連続的にランするものである。
【０００４】
このタイプのシステムは多数の欠点を有している。第１にシステムのコストである。遠隔地に供給する必要があり、サーバーは一群のユニットを制御する必要があるので、コストは明らかに高いものとなる。
【０００５】
他の欠点を挙げると、広告物は一般にループ内をランするので、それが「背景ノイズを形成して、これが客の広告物に対する注意を喚起することができないことになる。さらに広告物がループ内をランするので、広告が半分だけ完全になったときに客は広告物を見せられる。したがって意図されたメッセージを得ることができないのである。
【発明の開示】
【発明が解決しようとする課題】
【０００６】
この発明の目的は、表示される情報を見ようという人間の注意をより喚起し易い表示システムを提供することにある。
【課題を解決するための手段】
【０００７】
この発明のシステムはデータ媒体と表示スクリーンと近接センサーとを有しており、データ媒体はシステムにより表示されるデータを含んでおり、表示スクリーンはデータを表示するためのものであり、近接センサーは表示システム近くにおける人間の存在を検知してシステムを励動して表示スクリーン上にデータを表示させるものである。
【発明の効果】
【０００８】
近接センサーが表示システム近くにおける人間の存在を検知してシステムの近くに人間が来るとデータ（広告など）が始まるので、データの表示に人間が注意を惹かれ易く表示を見ようとする。さらに人間が近くに来るとデータの表示が始まるので、人間は全てのメッセージを見ることができ、したがってデータの完全なインパクトを得ることになる。
【０００９】
システムが商品の広告に関連して使われると、客の注意を惹き易く広告の全部を客が受けることが確実となり、表示システムの場所において販売されている商品を購入しようという魅力を覚える。
【００１０】
データ媒体と表示スクリーンとはテレビモニターとして形成するのが望ましい。
【００１１】
モニターは商店の棚にモニターを取り付ける取付け手段を有するのが望ましい。
【００１２】
一実施例においては、データ媒体がデータを含んだコンパクトディスク、フラッシュメモリー記憶素子、磁気テープなどを有している。
【００１３】
他の実施例においては、システムがデータ媒体からデータを読み出して表示装置のスクリーンに該データを表示する従来の制御回路を有している。
【００１４】
好ましき実施例においては、システムが音響データの出力のための少なくとも１個のスピーカーと高低音量制御器とを有しており、該制御器は音響出力を比較的高い音量から比較的低い音量へと変化させてシステムへ人間が近づくことを示す。
【００１５】
最も好ましくは、所定の時間に亙ってまたはシステムへの人間の接近運動に反応して音量が比較的高い音量から比較的低い音量へと変化し、これにより音量レベルが与えられ、該音量レベルは人間のシステムからの距離に関して適合するレベルである。
【００１６】
好ましくは、近接センサーは光センサーである。しかし運動検知器、レーダー型検知器、熱検知器などの他の形態であっても使用される。
【００１７】
もっとも好ましくは、光センサーは光感知レジスターである。
【００１８】
好ましくは、センサーがスイッチ要素を駆動して、該要素がリレーを駆動して電力がシステムに供給されてシステムを励動してデータを表示させる。
【００１９】
一実施例においては、センサーが電源に並列接続されて電流を第１のトランジスターに供給し、第２のトランジスターが電源に並列に接続されかつリレーに直列接続され、第１のトランジスターも電源に接続されている。センサーが光を受けると、電流が第１のトランジスターに供給されて、トランジスターをスイッチオンし、電流が第２のトランジスターに供給されない。センサーが人間のシステムへの接近を示すより少ない光を受けると、第１のトランジスターがスイッチオフされ、電流が第２のトランジスターに供給され、第２のトランジスターをスイッチオンし、リレーを励動してリレースイッチを閉じ、電力がシステムに供給されてデータ媒体が表示スクリーン上における表示のためにデータを出力する。
【００２０】
この発明の一実施例においては、システムがタイマー回路を有しており、該回路がシステムへの電力を維持して所定の時間表示を維持する。
【００２１】
この発明の一実施例においては、音量制御器が信号分割器を有しており、該分割器は増幅器入力端に接続され、該入力端は音響信号を少なくとも１個のスピーカーに供給し、分割器はまたトランジスターに接続されている。充電要素がトランジスターに接続されて、充電要素が充電すると、トランジスターが徐々にオンにされて、信号分割器が増幅器に供給される信号の量を低減し、増幅器が少なくとも１個のスピーカーから出力される音響データの音量を低減する。
【００２２】
この発明の一実施例においては、音量制御器が充電素子が充電する時間を設定するタイマーを有しており、トランジスターがオンとされて、これにより音量が比較的高い音量から比較的低い音量に変化する時間が設定される。
【００２３】
好ましくは、充電要素はコンデンサーである。
【００２４】
他の実施例においては、近接センサーが演算増幅器部分に接続されており、人間が検知されたときに該増幅器部分がセンサーからの出力を受け、ウインドー比較器が増幅器部分からの出力を受けて制御出力を形成し、タイマー回路が制御出力を受けて励動出力を形成してデータ媒体を励動して、表示スクリーンにデータを表示・上演させ、所定の時間遅れの後で、タイマー回路がデータ媒体をスイッチオフして、表示スクリーンおよびスピーカー上にデータを表示・上演させる。
【００２５】
この実施例においては、タイマー回路からの励動信号が減衰タイマー回路を励動して、ある時間に亙って音響データの音量を減衰させる。
【００２６】
好ましくは、減衰回路がコンデンサーと可変抵抗に接続されたＭＯＳＦＥＴトランジスターを有しており、可変抵抗が音響データを受ける入力端と音響データをスピーカーに供給する出力端とを有しており、コンデンサーが充電されると、ＭＯＳＦＥＴトランジスターが徐々にオンにされて可変抵抗をアースし、これにより可変抵抗の出力端に供給された音響信号が減衰される。
【００２７】
他の発明はシステムからの音響データ出力の音量レベルの設定に関するものである。
【００２８】
この発明はまた表示システムに関するものであって、該システムはデータ媒体と表示スクリーンと少なくとも１個のスピーカーと近接センサーとを有しており、データ媒体はシステムにより表示されかつ上演されるビデオデータと音響データとを含んでいる。表示スクリーンとスピーカーとはデータを表示・上演するものである。近接センサーは表示システムの近くにおける人間の存在を検知してかつ少なくとも１個のスピーカーからの音響出力の音量を調節する。
【００２９】
音量は、人間がシステムに近づくと人間が表示の詳細を見るためにシステムに近づくと適宜な音量レベルが与えられるように、調節され得るものである。
【００３０】
好ましくは、データ媒体と表示スクリーンとはテレビモニターとして形成される。該モニターは好ましくはモニターを商店の棚に取り付ける取付け手段を有している。
【００３１】
一実施例においては、データ媒体はデータを含んだコンパクトデイスク、フラッシュメモリー記憶素子、磁気テープなどを含んでいる。
【００３２】
一実施例においては、システムはまた従来の制御回路を有しており、該回路はデータ媒体からデータを読み出して表示装置のスクリーン上にビデオデータを表示するとともに少なくとも１個のスピーカーにおいて音響データを上演する。
【００３３】
好ましき一実施例においては、近接センサーはタイマーを励動し、タイマーは所定時間に亙って音量を低減し、該時間において人間がシステムに近づくとの仮定のもとに音量が調節される。
【００３４】
一実施例においては、近接センサーは光検知レジスターなどの光センサーである。
【００３５】
他の実施例においては、近接センサーは人間がセンサーの近くにいるときに人体により発生される熱により励動される赤外線運動センサーである。
【００３６】
しかし、運動検知器、レーダー型検知器などの他の形態の近接センサーも使用できる。
【００３７】
一実施例においては、センサーはスイッチ要素を駆動し、
該スイッチ要素はリレーを駆動して電力をシステムに供給させて、データを表示すべくシステムを励動する。
【００３８】
この発明はまた広告を放送する広告装置に係るものであり、該装置はデータ媒体と少なくとも１個のスピーカーと音量設定制御器とを有しており、データ媒体は広告に関連するデータを含んでおり、該データは音響データを含んでおり、スピーカーは音響データを出力し、制御器は最初スピーカーにより放送される音響データの音量を比較的高い音量に設定し、ついで比較的低い音量に音量を低減する。
【００３９】
かくして最初の高い音量が与えられて装置からある距離にある人間を惹きつけ、ついで人間が広告装置に近づくとの仮定の下に音量が低減されて、心地よい音量が提供される。
【００４０】
望ましくは、該装置は近接センサーを有しており、該センサーは装置の近傍における人間の存在を検知して、データ媒体をしてユニットにデータを放送のために供給させる。
【００４１】
望ましくは、システムは表示スクリーンを有しており、データは表示スクリーン上での表示のためのビデオデータを含んでいる。
【００４２】
望ましくは、データ媒体と表示スクリーンとはテレビモニターとして形成される。
【００４３】
望ましくは、モニターはモニターを商店の棚に取り付けるための取付け手段を有している。
【００４４】
一実施例においては、データ媒体はデータを含んだコンパクトデイスク、フラッシュメモリー記憶素子、磁気テープなどを含んでいる。
【００４５】
一実施例においては、近接センサーは光感知レジスターなどの光センサーを含んでいる。
【００４６】
他の実施例においては、近接センサーは赤外線運動センサーを含んでおり、該運動センサーは人間がセンサーの近くにいるときに人体により発生される熱により励動される。
【００４７】
しかし運動検知器、レーダー型検知器、熱検知器など他の形態の近接センサーも使用できる。
【００４８】
望ましくは、センサーはスイッチ要素を駆動し、該スイッチ要素はリレーを駆動して電力をシステムに供給させて、データを表示すべくシステムを励動する。
【００４９】
一実施例においては、センサーは電源に並列接続されて電流を第１のトランジスターに供給し、第２のトランジスターは電源に並列接続されおよびリレーに直列接続されており、第１のトランジスターはまた電源に接続されている。センサーが光を受けると、電流が第１のトランジスターに供給されてトランジスターがスイッチオンされ、電流が第２のトランジスターに供給されない。センサーがシステムへの人間の接近を示す少ない光を受けると、第１のトランジスターがスイッチオフされて、第２のトランジスターに電流が供給され、第２のトランジスターがスイッチオンされ、リレーを励動してリレースイッチを閉じさせ、電力がシステムに供給されて、データ媒体が表示スクリーン上での表示のためにデータを出力する。
【００５０】
望ましくは、システムはタイマー回路を有しており、該タイマー回路はシステムへの電力を維持して、所定の時間表示を維持する。
【００５１】
一実施例においては、音量制御器は信号分割器を有しており、該分割器は増幅器の入力端に接続され、該入力端は音響信号を少なくとも１個のスピーカーに供給し、また分割器はトランジスターに接続されており、充電要素が該トランジスターに接続されている。充電要素が充電すると、トランジスターが徐々にオンとされて、信号分割器が増幅器に供給される信号の量を低減して、該増幅器は少なくとも１個のスピーカーからの音響データ出力の音量を低減する。
【００５２】
一実施例においては、音量制御器が充電要素が充電する時間を設定するタイマーを有しており、トランジスターがオンとされて、それにより音量が比較的高い音量から比較的低い音量に変わる時間が設定される。
【００５３】
望ましくは、充電要素がコンデンサーである。
【００５４】
他の実施例においては、近接センサーが演算増幅器部分に接続されており、該増幅器部分は人間が検知されたときにセンサーからの出力を受け、ウインドー比較器が増幅器部分からの出力を受けるとともに制御出力を発生し、タイマー回路が該制御出力を受けて励動出力を提供してデータ媒体を励動し、データ媒体が表示スクリーンにデータを表示・上演させる。所定の時間遅れ後にタイマー回路により設定されて、データ媒体をスイッチオフして、それにより表示スクリーンとスピーカーにおいてデータの表示・上演を停止させる。
【００５５】
この実施例においては、タイマー回路からの励動信号が減衰タイマー回路を励動して、ある時間に亙って音響データの音量を減衰する。
【００５６】
望ましくは、減衰回路がコンデンサーとＭＯＳＦＥＴトランジスターを有しており、該トランジスターは可変抵抗に接続されており、該可変抵抗は音響データを受ける入力端と音響データをスピーカーに供給する出力端とを有している。コンデンサーが充電されると、ＭＯＳＦＥＴトランジスターは徐々にオンにされて可変抵抗をアースし、これにより可変抵抗の出力端に供給される音響信号の減衰が行われる。
【００５７】
望ましくは、データはさらに音響データを含んでおり、減衰タイマー回路がある時間に亙って音響データの音量を減衰する。タイマー回路が減衰タイマー回路を励動する。
【００５８】
望ましくは、データは複数の分離した広告を含んでおり、広告時間回路が表示されるべき広告の数を示す信号を出力する。スイッチが表示されるべき広告の数に応じて選択的に広告回路の出力を切り換えて、信号を出力してタイマーを切り、所定の広告が上演された後で減衰回路を切る。
【００５９】
望ましくは、スイッチの出力端はトランジスターに接続されており、該トランジスターはスイッチからの出力によりスイッチオンされて、所定の信号をタイマー回路に供給してタイマー回路をリセットする。
【００６０】
望ましくは、減衰回路はコンデンサーとＭＯＳＦＥＴトランジスターとを有しており、該トランジスターは可変抵抗に接続されている。可変抵抗は音響データを受ける入力端と音響データをスピーカーに供給する出力端とを有している。コンデンサーが充電されると、ＭＯＳＦＥＴトランジスターが徐々にオンにされて可変抵抗をアースし、これにより可変抵抗の出力端に供給された音響信号が減衰される。
【発明を実施するための最良の形態】
【００６１】
図１〜３にはこの発明の好ましき形態を棚テレビで示してあり、表示モニターは適宜形状の外側ケース１２とビデオデータ表示用の表示スクリーン１４と音響データを出力するスピーカー１６とを有している。好ましき実施例においては、ビデオデータと音響データとは商品宣伝用の広告を含んでいる。図３に示すようにケース１２はその裏面に取付けスタッド１８を有している。これによりシステムを棚上に取り付けたり、またはデパートや商店などで提供する商品の近くに取り付けることができる。
【００６２】
スタッド１８はユニットを棚などへ取り付ける一形態を示すものに過ぎず、ブラケットや連結具などを適宜用いることが可能である。
【００６３】
またシステムは期待される買手などの人間の表示システムへの接近を検知する近接検知器２０を有しており、表示システムの近くに配置された商品に関連する広告メッセージを表示するべく表示システムが励動される。広告メッセージは買手の関心を惹くことを意図するものであり、商品に関連する情報を提供して買手がよりその商品の購買意欲を持つようにする。
【００６４】
近接センサー２０はシステムの近くにおける人間の存在を検知してシステムを励動し、広告メッセージが、表示スクリーン１４上に可視広告でまたスピーカー１６から音響出力の形でシステムにより提供される。
【００６５】
人間がシステムの近くに動いたときだけ広告が始まるので、広告が連続して表示されて人間の即座の関心を惹かない場合に比べて、人間が即座に広告に惹かれ易いのである。つまり人間は広告に、より注意を払うことになる。しかも広告は初めから上演され、したがって人間は広告の全てを見ることになり、販売に提供された商品に関連する完全なメッセージが提供され、人間のその商品に対する購買意欲が喚起されるのである。
【００６６】
図４にシステム全体のブロック線図を、図５、６はその一部を示す。システムは検知器部３０と高低音量制御器４０とビデオ・音響制御部５０とビデオ表示・音響出力部６０とを有している。ビデオ表示・音響出力部６０は基本的にはディスプレー１４とスピーカー１６とから構成されていて、それぞれ従来からある制御回路を具えているが説明は省く。
【００６７】
ビデオ・音響制御部５０はフラッシュカードやＣＤやテープまたは適宜な記憶媒体などの広告物が記憶されている媒体を有しており、データを読み出してビデオ信号や音響信号としてデータをビデオ表示・音響出力部６０に供給する制御回路を具えている。それらは従来技術であるので詳細は省く。
【００６８】
システムへの人間の接近に反応して検知器部３０はビデオ・音響制御部５０とビデオ表示・音響出力部６０とを励動し、かつ電源７０を有している。該電源は１２Ｖなどの電力を検知器部３０に供給する。光感知レジスター７１は電源７０に並列接続されており、可変抵抗７２は光感知レジスター７１に直列接続されており、光感知レジスター７１の感度を調節する。可変抵抗７２と光感知レジスター７１との間にはトランジスター７３が接続されている。
【００６９】
レジスター７３のコレクターはライン７４に接続され、かつレジスター７９を介して電源７０に接続されている。該ライン７４はダイオード７５と第２の可変抵抗７６とを有している。コンデンサー７７が可変抵抗７６に接続されており、さらなるレジスター７８はコンデンサー７７と可変抵抗７６とに接続されている。
【００７０】
レジスター７８は第２のトランジスター８０に接続され、該トランジスターのコレクターはライン８１を介してリレー９０に接続されている。このリレー９０は電源７０に接続され、かつダイオード９１とスイッチ９２とを有している。スイッチ９２は閉じると電力を電源７０からビデオ・音響制御部５０に供給してビデオ・音響制御部５０を励動・駆動する。
【００７１】
光の連続した強度が光感知レジスター７１に入ると、可変抵抗７２の設定に応じて電流が光感知レジスター７１を通ってライン９１に沿って流れる。かくしてトランジスター７３がスイッチオンされ、電流がライン９２に流れる。これによりトランジスター８０がスイッチオフされて、リレー９０には電流が流れない。かくしてリレースイッチ９２は開いたままとなる。
【００７２】
しかし光感知レジスター７１に入射している光が、例えば２メートルの距離からシステムに近づいた人間により、遮断されると、光感知レジスター７１は導通せず、トランジスター７３はバイアスされずにオフとされる。ついでトランジスター８０はダイオード７５、可変抵抗７６およびレジスター７８を介して前バイアスされ、電流がリレー９０に流れリレースイッチ９２が閉じる。電力がスイッチ９２を通って供給されライン９３を介してビデオ・音響制御部５０に至り、ビデオ・音響制御部５０が励動されてビデオ・音響情報がビデオ表示・音響出力部６０に記憶されてビデオ表示・音響出力部６０により読出し・表示される。
【００７３】
第２の可変抵抗７６はリレー９０をオンに保つ時間を設定する。光線が再び光感知レジスター７１に入射すると（例えば人間がシステムから離れると）、リレーＲ２は励動を解除され、電力はビデオ・音響制御部５０にオフとされる。
【００７４】
図４に示すように、ビデオ・音響制御部５０はビデオ表示・音響出力部６０に直接接続されたビデオ出力ライン１００を有している。ビデオ・音響制御部５０からの音響出力ライン１０１は高低音量制御器４０に接続されて、人間のシステムからの距離に応じて音量調節を行う。
【００７５】
図４から明らかなように、ライン１０１は可変抵抗１０２に接続され、可変抵抗１０２は増幅器信号入力端１０３に接続されている。該入力端はビデオ表示・音響出力部６０に接続されている。音響信号は高低音量制御器４０を通って増幅器１０３に至り、ついでビデオ表示・音響出力部６０に至ってスピーカー１６を介して出力される。
【００７６】
電力が最初にビデオ・音響制御部５０に供給されると、トランジスター７３はオフ状態となり、高低音量制御器４０のポイントＡは浮いており、ビデオ・音響制御部５０からの音響は可変抵抗１０２を介して直接増幅器１０３に至る。コンデンサー１０３ａは徐々に充電され、充電時間は可変抵抗１０４により設定される。該可変抵抗はダイオード１０５と抵抗１０６を介してトランジスター１０７に接続されている。
【００７７】
ＭＯＳＦＥＴトランジスター１０７は徐々にオンにされ、可変抵抗１０２のポイントＡを効果的にアースする。かくして一部の信号は、増幅器１０３には行かないで、ライン１０９を通ってアースされる。これにより信号ひいては音量が低減される。最終的な所望の音響レベルは可変抵抗１０２により設定できる。
【００７８】
ビデオ・音響制御部５０への電力がオフにされついで再びオンにされたときには、上記の過程が反復される。電力がスイッチオンされると、完全な音響信号がビデオ表示・音響出力部６０に供給される。その後ある時間に亘って、低減された音響音量がビデオ表示・音響出力部６０に供給されて、これによりスピーカー１６から出力される音響信号の音量レベルが低減される。リレー９０はリレースイッチ９５、９６を有しており、電力が供給されないときには、これらがライン１１１、１１２を介してコンデンサー１０３を放電する。したがってこれにより、電力が再びビデオ・音響制御部５０に供給されたときに、反復可能な時間遅れが確実とされる。
【００７９】
図７に示すのは他の実施例であり、熱分解・電気赤外線運動センサー１５０が人間の接近を検知する。人間がセンサー１５０の前を通り過ぎると、人体から発生される熱がセンサー１５０により検知され、センサー１５０は８ヘルツくらいの低周波数信号を発生する。これによりビデオ表示が始まる。センサー１５０の出力は増幅器１５１の非反転入力端にライン１５２により供給される。
【００８０】
増幅器１５１はコンデンサー１５３、レジスター１５４、コンデンサー１５５およびレジスター１５６により構成される帯域パスフィルターに接続されている。帯域パスフィルターは８ヘルツくらいの帯域を有している。増幅器１５１は約３０ｄｂのゲインを提供する。増幅器１５１の出力端はコンデンサー１６１とレジスター１６２を介して増幅器１６０に接続されている。帯域パスフルター１６４は上記のものと同様に構成されており、増幅器１６０は他の３０ｄｂのゲインを提供する。
【００８１】
増幅器１６０の出力端はコンデンサー１６７に接続されており、該コンデンサーは増幅器１６０からの信号を比較器１６９、１７０から構成されるウインドー比較回路１６８に供給する。該比較回路１６８のウインドー電圧は反転入力端については約３Ｖに、非反転入力端１７２については約１．７Ｖに設定される。
【００８２】
人体の熱が検知されると、増幅器１６０が電圧出力を形成し、これがコンデンサー１６７に供給される。この電圧より外側の電圧はコンデンサー１６９の出力端１７３を低くさせ、これによりライン１８１を介してタイマー回路１８０が励動される。ライン１８１はダイオード１８２と１８３との間に接続され、これによりコンデンサー１６９、１７０からの出力は互いに孤立される。
【００８３】
タイマー１８０の遅れ時間は可変抵抗１８５とコンデンサー１８６とにより設定される。遅れ時間はたとえば１分である。遅れ時間は可変抵抗１８５を調節することにより調節される。タイマー１８０がライン１８１上の信号により始動されると、出力端１８７は高くなり、これによりリレー１８８が励動される。これにより接点１８９が閉じ、電力が電源１９１からライン１９２へと供給される。ついで出力端１９３を介して図４に示すマルチメデイアボードに供給される。
【００８４】
接点１９０は開き、これによりコンデンサー１９５はレジスター１９６、１９７を介して充電される。レジスター１９６はＭＯＳＦＥＴ１９８をオンにするための時間を設定する。ＭＯＳＦＥＴ１９８がオンになる前に、音響信号が音響入力端２００から可変抵抗１９９に供給され、スライダー接点２０１を経て、前の実施例において信号増幅器１０３から供給される場合と同様に、音響入力端に供給される。
【００８５】
コンデンサー１９５がＭＯＳＦＥＴ１９８を徐々にオンにするのに充分高い電位に充電されると、可変抵抗１９９が効果的にアースされて、音響信号が減衰される。かくして人間の検知により生成された当初の音響信号は可変抵抗１９９により設定され、コンデンサーＣ９が充電される。人間がテレビに接近しているとの仮定の下に音響信号は減衰される。人間がより近く来ると音量が減衰され、人間がテレビ１２（図１参照）に近づくと心地よい音量が生成される。
【００８６】
タイマー１８０の時間が一杯になったら、リレー１８８が励動を解かれて接点１８９が開く。したがってライン１９１からマルチメディアボードへの電力が遮断されて、ビデオ表示サイクルが終了する。接点１９０が閉じ、コンデンサー１９５がライン２０２を通って放電し、次のサイクルの音響レベル制御に備える。
【００８７】
電力供給回路２０５が１２Ｖの入力供給を受け、この供給をライン２０６上に５Ｖの出力に変換し、ライン２０７を介してタイマー１８０を制御すべく供給して、可変抵抗１８５に電圧供給を行う。５Ｖの供給はライン２０８においても提供されて、レジスター２０９とコンデンサー２１０を介してセンサー１５０と比較器１６９、１７０を駆動する。ライン２１１はレジスター２１２、２１３、２１４を含んでおり、ライン２１５はレジスター２１６、２１７を含んでいる。
【００８８】
図８に示す実施例においては、図７と同じ参照数字は同じ要素を示す。センサー３００は熱分解・電気運動センサー集積回路である。センサー３００は受動赤外線要素、増幅器および比較器出力回路を有している。人間がセンサー３００を過ぎて歩くと、身体により発生された熱がセンサーにより検知され、低周波数信号が発生され、センサー３００内の集積回路により増幅され、信号がセンサー３００内の比較器回路に供給される。
【００８９】
これにより比較器回路は高となり、高出力信号がライン３０１上でトランジスター３０２に供給され、トランジスターがスイッチオンされてライン３０３は低となる。ライン３０３上の低信号はライン３０４を介してタイマー１８０を励動する。この実施例においては、可変抵抗１８５は可変ではなくて、コンデンサー１８６とともに遅延タイマーを構成する。このタイマー１８０は前の実施例と同様にリレー１８８を駆動して、前記と同様に出力端１９３、２００、２０１に出力を供給する。
【００９０】
媒体ファイルが上演を始めると、マルチメディアカードからのライン３１０は高くなり、トランジスター３１１がオンにされる。これにより集積回路３１３のピン３１２は低となる。１個の媒体ファイルが完了すると、ライン３１０が状態を変えてライン３１２を高に引き上げる。回路３１３のアクティブ出力はディップスイッチ（ｄｉｐｓｗｉｔｃｈ）３１４を介してトランジスター３１５に供給され、該トランジスターがトランジスター３１５をオンとする。これによりライン３１６は低となり、ライン１８１を介してのタイマーへの電力が遮断されてタイマーがリセットされ、メデイアプレーヤへの電力が遮断される。
【００９１】
スイッチ３１４は遮断前に最大４個の媒体ファイルの上演を可能とする。コンデンサー３１７は遅延を導入して誤再始動を防止する。タイマー１８０が時間一杯になると、リレーが状態を変えて、接点Ａ、Ｂが開き、前記のようにライン１９２を介しての媒体カードへの電力を遮断する。これによりビデオ表示が終了する。リレーの接点１９０が閉じて、コンデンサー１９５が放電し、次のサイクルの音響レベル制御に備える。
【００９２】
ディップスイッチ３１４は単一のまたは２個のまたは３個のまたは４個の広告の上演を可能とする。ディップスイッチは図８に示すひとつの位置に手動設定され、１、２、３または４個の広告が上演される（図８中に番号１、２、３、４で示す）。図８に示す位置では、１個の広告が上演される。ディップスイッチ３０４が図８中の位置４に調節されると、４個の広告全てが上演される。
【００９３】
タイマー１８０のオンタイムはライン１８１上の電力供給と可変抵抗１８５とコンデンサー１８６により構成されるＲ−Ｃ回路により設定される。例えば、オンタイムは最大５分として商品デモンストレーションなどのいかなる長い広告をも受容できるようにする。
【００９４】
各広告の終りに、回路３１３は対応する図８のアクティブピン１〜４に高信号を出力する。いかなるときも１個だけのピンがアクティブとなる。ディップスイッチの設定により、高出力がディップスイッチ３１４により設定されたピンにおいて受け取られる。これによりトランジスター３１５は導通してライン３０６が低となる。ライン３０６上の低はタイマー１８０をリセットし、リレー１８８を解放する。ついでシステムは待機モードに入る。
【００９５】
リレー接点１８９が開くと、電力はライン３２０を介して回路３２１には供給されず媒体プレーヤ入力端３２２に行く。
【００９６】
図８の実施例においては、リレー１８８はレジスター３５１と発光ダイオード３５２に並列接続されていて、タイマー３５１の状態を示す。例えば発光ダイオードがリレーと同時にタイマー１８０から電力を供給され、タイマー１８０がリレー１８８に電力を供給すると発光ダイオードが発光する。
【産業上の利用可能性】
【００９７】
この発明は電子工学の分野で広く利用されるものである。
【図面の簡単な説明】
【００９８】
【図１】この発明の好ましき実施例における棚テレビの形の表示システムの前面図である。
【図２】図１のシステムの底部斜視図である。
【図３】図１のシステムの後面図である。
【図４】この発明の一実施例においては、表示システムのブロック線図である。
【図５】図４のブロックの一部の詳細ブロック線図である。
【図６】図４のブロックの一部の詳細ブロック線図である。
【図７】この発明の他の実施例のブロック線図である。
【図８】最も好ましい実施例のブロック線図である。
【符号の説明】
【００９９】
１２：ケース
１４：表示スクリーン
２０：近接センサー
３０：検知器部
４０：高低音量制御器
５０：ビデオ・音響制御部
６０：ビデオ表示・音響出力部
７０：電源
９０：リレー
【図１】
2007514206.tif 000003
【図２】
2007514206.tif 000004
【図３】
2007514206.tif 000005
【図４】
2007514206.tif 000006
【図５】
2007514206.tif 000007
【図６】
2007514206.tif 000008
【図７】
2007514206.tif 000009
【図８】
2007514206.tif 000010
【手続補正書】
【提出日】平成17年10月14日(2005.10.14)
【手続補正１】
【補正対象書類名】明細書
【補正対象項目名】全文
【補正方法】変更
【補正の内容】
【発明の詳細な説明】
【技術分野】
【０００１】
この発明は表示システムに関するものであり、特にデパートや他の小売店内の場所のための近くにある販売用の商品に客を惹きつけるための広告類が表示される棚テレビに関するものである。
【背景技術】
【０００２】
広告物の情報を表示するシステムはよく知られている。通常それらのシステムは高価でありまた複雑であり、遠隔地からデパートまたは他の小売店に配置された多数の異なる表示ユニットに広告が供給されるものである。
【０００３】
一般に、広告物は遠隔地から通信リンクを介して供給され、該リンクはサーバー専用のラインであり、該サーバーはデパート内の１個または一群の表示ユニットを制御している。またサーバーは広告物を装置上に表示するためにダウンロードする。通常広告物はループ内を連続的にランするものである。
【０００４】
このタイプのシステムは多数の欠点を有している。第１にシステムのコストである。遠隔地に供給する必要があり、サーバーは一群のユニットを制御する必要があるので、コストは明らかに高いものとなる。
【０００５】
他の欠点を挙げると、広告物は一般にループ内をランするので、それが「背景ノイズを形成して、これが客の広告物に対する注意を喚起することができないことになる。さらに広告物がループ内をランするので、広告が半分だけ完全になったときに客は広告物を見せられる。したがって意図されたメッセージを得ることができないのである。
【発明の要旨】
【０００６】
第１の発明の目的は表示システムを提供することにあり、該システムは表示システム上に表示された情報を見ようという人間の注意をより惹き易いのである。
【０００７】
該表示システムはデータ媒体と表示スクリーンと近接センサーと少なくとも１個のスピーカーと高低音量制御器とを有してなるものであり、データ媒体はシステムにより表示されるデータを含んでおり、表示スクリーンは該データを表示するものであり、近接センサーは表示システム近くにおける人間の存在を検知してかつシステムを励動してデータを表示スクリーン上に表示させ、スピーカーは音響データを出力し、高低音量制御器は所定の時間に亙ってスピーカーからの音響データを比較的高い音量から比較的低い音量に変えて表示システムへの人間の運動を近似して、かつ人間が表示システムに近づくと快適な可聴音量を維持する。
【０００８】
近接センサーが表示システム近くにおける人間の存在を検知し、人間がシステムの近くに来るとデータ（例えば広告など）が始まるので、人間はよりデータの表示に惹き付けられるようになって表示を見る。さらに、人間が近くに来るとデータの表示が始まるので、人間は全メッセージを見ることができて、データの完全なインパクトを得るのである。
【０００９】
システムが商品の広告に関連して使用されるときには、システムはより買手の関心を惹きかつ買手が広告の全体を受けることを確実にして、表示の場所において提供される商品を購入しようという気に人間をさせるのである。
【００１０】
望ましくは、データ媒体と表示スクリーンとはテレビモニターとして形成される。
【００１１】
望ましくはモニターはモニターを商店の棚に取り付ける取付け手段を有している。
【００１２】
一実施例においては、データ媒体はデータを含んだコンパクトデイスク、フラッシュメモリー記憶素子、磁気テープなどを含んでいる。
【００１３】
一実施例においては、システムはまた従来の制御回路を有しており、これがデータ媒体からデータを読み出して表示装置のスクリーン上に該データを表示する。
【００１４】
望ましくは、近接センサーは光センサーを含んでいる。しかし運動検知器、レーダー型検知器、熱検知器などの他の形態の近接センサーも使用できる。
【００１５】
最も望ましくは、光センサーが光感知レジスターである。
【００１６】
望ましくは、センサーはスイッチ要素を駆動し、該要素はリレーを駆動して電力をシステムに供給させて、システムを励動してデータを表示させる。
【００１７】
一実施例においては、センサーは電源に並列接続されて、電流を第１のトランジスターに供給する。第２のトランジスターは電源に並列接続されかつリレーに直列接続されている。第１のトランジスターもまた電源に接続され、センサーが光を受けると電流が第１のトランジスターに供給されて、トランジスターをスイッチオンし、電流は第２のトランジスターには供給されない。
【００１８】
センサーが人間のシステムへの接近を示す少ない光を受けると、第１のトランジスターがスイッチオフされ、これにより電流が第２のトランジスターに供給されて、第２のトランジスターをスイッチオンし、リレーを励動してリレースイッチを閉じる。これにより電力はシステムに供給されてデータ媒体がデータを出力して表示スクリーン上に表示させる。
【００１９】
一実施例においては、システムがタイマー回路を有しており、該回路がシステムへの電力を維持して所定の時間に亙って表示を維持する。
【００２０】
一実施例においては、音量制御器が信号分割器を有しており、該分割器は増幅器入力端に接続され、該入力端は音響信号を少なくとも１個のスピーカーに供給する。分割器はまたトランジスターに接続され、充電要素が該トランジスターに接続されている。充電要素が充電すると、トランジスターが徐々にオンとされて、信号分割器が増幅器に供給される信号の量を低減する。増幅器は少なくとも１個のスピーカーから出力される音響データの音量を低減する。
【００２１】
一実施例においては、音量制御器がタイマーを有しており、該タイマーは充電素子が充電する時間を設定する。これによりトランジスターがオンとされて、音量が比較的高い音量から比較的低い音量に変化する時間を設定する。
【００２２】
望ましくは充電要素はコンデンサーである。
【００２３】
他の実施例においては、近接センサーは演算増幅器部分に接続されており、該増幅器部分は人間が検知されたときにセンサーからの出力を受ける。ウインドー比較器は増幅器部分からの出力を受けて制御出力を形成する。
【００２４】
タイマー回路は制御出力を受け、励動出力を提供してデータ媒体を励動し、表示スクリーンをしてデータを表示・上演させる。タイマー回路により設定される所定の時間遅れの後で、データ媒体がスイッチオフされて、表示スクリーンおよびスピーカーにおいてデータの表示・上演が行われる。
【００２５】
この実施例においては、タイマー回路からの励動信号が減衰タイマー回路をも励動し、該回路はある時間に亙って音響データの音量を減衰する。
【００２６】
望ましくは減衰回路はコンデンサーとＭＯＳＦＥＴトランジスターを有しており、該トランジスターは可変抵抗に接続されている。可変抵抗は音響データを受ける入力端と音響データをスピーカーに供給する出力端とを有している。コンデンサーが充電されると、ＭＯＳＦＥＴトランジスターが徐々にオンにされ、可変抵抗をアースして、可変抵抗の出力端に供給される音響信号の減衰が行われる。
【００２７】
図１〜３にはこの発明の好ましき形態を棚テレビで示してあり、表示モニターは適宜形状の外側ケース１２とビデオデータ表示用の表示スクリーン１４と音響データを出力するスピーカー１６とを有している。好ましき実施例においては、ビデオデータと音響データとは商品宣伝用の広告を含んでいる。図３に示すようにケース１２はその裏面に取付けスタッド１８を有している。これによりシステムを棚上に取り付けたり、またはデパートや商店などで提供する商品の近くに取り付けることができる。
【００２８】
スタッド１８はユニットを棚などへ取り付ける一形態を示すものに過ぎず、ブラケットや連結具などを適宜用いることが可能である。
【００２９】
またシステムは期待される買手などの人間の表示システムへの接近を検知する近接検知器２０を有しており、表示システムの近くに配置された商品に関連する広告メッセージを表示するべく表示システムが励動される。広告メッセージは買手の関心を惹くことを意図するものであり、商品に関連する情報を提供して買手がよりその商品の購買意欲を持つようにする。
【００３０】
近接センサー２０はシステムの近くにおける人間の存在を検知してシステムを励動し、広告メッセージが、表示スクリーン１４上に可視広告でまたスピーカー１６から音響出力の形でシステムにより提供される。
【００３１】
人間がシステムの近くに動いたときだけ広告が始まるので、広告が連続して表示されて人間の即座の関心を惹かない場合に比べて、人間が即座に広告に惹かれ易いのである。つまり人間は広告に、より注意を払うことになる。しかも広告は初めから上演され、したがって人間は広告の全てを見ることになり、販売に提供された商品に関連する完全なメッセージが提供され、人間のその商品に対する購買意欲が喚起されるのである。
【００３２】
図４にシステム全体のブロック線図を、図５、６はその一部を示す。システムは検知器部３０と高低音量制御器４０とビデオ・音響制御部５０とビデオ表示・音響出力部６０とを有している。ビデオ表示・音響出力部６０は基本的にはディスプレー１４とスピーカー１６とから構成されていて、それぞれ従来からある制御回路を具えているが説明は省く。
【００３３】
ビデオ・音響制御部５０はフラッシュカードやＣＤやテープまたは適宜な記憶媒体などの広告物が記憶されている媒体を有しており、データを読み出してビデオ信号や音響信号としてデータをビデオ表示・音響出力部６０に供給する制御回路を具えている。それらは従来技術であるので詳細は省く。
【００３４】
システムへの人間の接近に反応して検知器部３０はビデオ・音響制御部５０とビデオ表示・音響出力部６０とを励動し、かつ電源７０を有している。該電源は１２Ｖなどの電力を検知器部３０に供給する。光感知レジスター７１は電源７０に並列接続されており、可変抵抗７２は光感知レジスター７１に直列接続されており、光感知レジスター７１の感度を調節する。可変抵抗７２と光感知レジスター７１との間にはトランジスター７３が接続されている。
【００３５】
レジスター７３のコレクターはライン７４に接続され、かつレジスター７９を介して電源７０に接続されている。該ライン７４はダイオード７５と第２の可変抵抗７６とを有している。コンデンサー７７が可変抵抗７６に接続されており、さらなるレジスター７８はコンデンサー７７と可変抵抗７６とに接続されている。
【００３６】
レジスター７８は第２のトランジスター８０に接続され、該トランジスターのコレクターはライン８１を介してリレー９０に接続されている。このリレー９０は電源７０に接続され、かつダイオード９１とスイッチ９２とを有している。スイッチ９２は閉じると電力を電源７０からビデオ・音響制御部５０に供給してビデオ・音響制御部５０を励動・駆動する。
【００３７】
光の連続した強度が光感知レジスター７１に入ると、可変抵抗７２の設定に応じて電流が光感知レジスター７１を通ってライン９１に沿って流れる。かくしてトランジスター７３がスイッチオンされ、電流がライン９２に流れる。これによりトランジスター８０がスイッチオフされて、リレー９０には電流が流れない。かくしてリレースイッチ９２は開いたままとなる。
【００３８】
しかし光感知レジスター７１に入射している光が、例えば２メートルの距離からシステムに近づいた人間により、遮断されると、光感知レジスター７１は導通せず、トランジスター７３はバイアスされずにオフとされる。ついでトランジスター８０はダイオード７５、可変抵抗７６およびレジスター７８を介して前バイアスされ、電流がリレー９０に流れリレースイッチ９２が閉じる。電力がスイッチ９２を通って供給されライン９３を介してビデオ・音響制御部５０に至り、ビデオ・音響制御部５０が励動されてビデオ・音響情報がビデオ表示・音響出力部６０に記憶されてビデオ表示・音響出力部６０により読出し・表示される。
【００３９】
第２の可変抵抗７６はリレー９０をオンに保つ時間を設定する。光線が再び光感知レジスター７１に入射すると（例えば人間がシステムから離れると）、リレーＲ２は励動を解除され、電力はビデオ・音響制御部５０にオフとされる。
【００４０】
図４に示すように、ビデオ・音響制御部５０はビデオ表示・音響出力部６０に直接接続されたビデオ出力ライン１００を有している。ビデオ・音響制御部５０からの音響出力ライン１０１は高低音量制御器４０に接続されて、人間のシステムからの距離に応じて音量調節を行う。
【００４１】
図４から明らかなように、ライン１０１は可変抵抗１０２に接続され、可変抵抗１０２は増幅器信号入力端１０３に接続されている。該入力端はビデオ表示・音響出力部６０に接続されている。音響信号は高低音量制御器４０を通って増幅器１０３に至り、ついでビデオ表示・音響出力部６０に至ってスピーカー１６を介して出力される。
【００４２】
電力が最初にビデオ・音響制御部５０に供給されると、トランジスター７３はオフ状態となり、高低音量制御器４０のポイントＡは浮いており、ビデオ・音響制御部５０からの音響は可変抵抗１０２を介して直接増幅器１０３に至る。コンデンサー１０３ａは徐々に充電され、充電時間は可変抵抗１０４により設定される。該可変抵抗はダイオード１０５と抵抗１０６を介してトランジスター１０７に接続されている。
【００４３】
ＭＯＳＦＥＴトランジスター１０７は徐々にオンにされ、可変抵抗１０２のポイントＡを効果的にアースする。かくして一部の信号は、増幅器１０３には行かないで、ライン１０９を通ってアースされる。これにより信号ひいては音量が低減される。最終的な所望の音響レベルは可変抵抗１０２により設定できる。
【００４４】
ビデオ・音響制御部５０への電力がオフにされついで再びオンにされたときには、上記の過程が反復される。電力がスイッチオンされると、完全な音響信号がビデオ表示・音響出力部６０に供給される。その後ある時間に亘って、低減された音響音量がビデオ表示・音響出力部６０に供給されて、これによりスピーカー１６から出力される音響信号の音量レベルが低減される。リレー９０はリレースイッチ９５、９６を有しており、電力が供給されないときには、これらがライン１１１、１１２を介してコンデンサー１０３を放電する。したがってこれにより、電力が再びビデオ・音響制御部５０に供給されたときに、反復可能な時間遅れが確実とされる。
【００４５】
図７に示すのは他の実施例であり、熱分解・電気赤外線運動センサー１５０が人間の接近を検知する。人間がセンサー１５０の前を通り過ぎると、人体から発生される熱がセンサー１５０により検知され、センサー１５０は８ヘルツくらいの低周波数信号を発生する。これによりビデオ表示が始まる。センサー１５０の出力は増幅器１５１の非反転入力端にライン１５２により供給される。
【００４６】
増幅器１５１はコンデンサー１５３、レジスター１５４、コンデンサー１５５およびレジスター１５６により構成される帯域パスフィルターに接続されている。帯域パスフィルターは８ヘルツくらいの帯域を有している。増幅器１５１は約３０ｄｂのゲインを提供する。増幅器１５１の出力端はコンデンサー１６１とレジスター１６２を介して増幅器１６０に接続されている。帯域パスフルター１６４は上記のものと同様に構成されており、増幅器１６０は他の３０ｄｂのゲインを提供する。
【００４７】
増幅器１６０の出力端はコンデンサー１６７に接続されており、該コンデンサーは増幅器１６０からの信号を比較器１６９、１７０から構成されるウインドー比較回路１６８に供給する。該比較回路１６８のウインドー電圧は反転入力端については約３Ｖに、非反転入力端１７２については約１．７Ｖに設定される。
【００４８】
人体の熱が検知されると、増幅器１６０が電圧出力を形成し、これがコンデンサー１６７に供給される。この電圧より外側の電圧はコンデンサー１６９の出力端１７３を低くさせ、これによりライン１８１を介してタイマー回路１８０が励動される。ライン１８１はダイオード１８２と１８３との間に接続され、これによりコンデンサー１６９、１７０からの出力は互いに孤立される。
【００４９】
タイマー１８０の遅れ時間は可変抵抗１８５とコンデンサー１８６とにより設定される。遅れ時間はたとえば１分である。遅れ時間は可変抵抗１８５を調節することにより調節される。タイマー１８０がライン１８１上の信号により始動されると、出力端１８７は高くなり、これによりリレー１８８が励動される。これにより接点１８９が閉じ、電力が電源１９１からライン１９２へと供給される。ついで出力端１９３を介して図４に示すマルチメデイアボードに供給される。
【００５０】
接点１９０は開き、これによりコンデンサー１９５はレジスター１９６、１９７を介して充電される。レジスター１９６はＭＯＳＦＥＴ１９８をオンにするための時間を設定する。ＭＯＳＦＥＴ１９８がオンになる前に、音響信号が音響入力端２００から可変抵抗１９９に供給され、スライダー接点２０１を経て、前の実施例において信号増幅器１０３から供給される場合と同様に、音響入力端に供給される。
【００５１】
コンデンサー１９５がＭＯＳＦＥＴ１９８を徐々にオンにするのに充分高い電位に充電されると、可変抵抗１９９が効果的にアースされて、音響信号が減衰される。かくして人間の検知により生成された当初の音響信号は可変抵抗１９９により設定され、コンデンサーＣ９が充電される。人間がテレビに接近しているとの仮定の下に音響信号は減衰される。人間がより近く来ると音量が減衰され、人間がテレビ１２（図１参照）に近づくと心地よい音量が生成される。
【００５２】
タイマー１８０の時間が一杯になったら、リレー１８８が励動を解かれて接点１８９が開く。したがってライン１９１からマルチメディアボードへの電力が遮断されて、ビデオ表示サイクルが終了する。接点１９０が閉じ、コンデンサー１９５がライン２０２を通って放電し、次のサイクルの音響レベル制御に備える。
【００５３】
電力供給回路２０５が１２Ｖの入力供給を受け、この供給をライン２０６上に５Ｖの出力に変換し、ライン２０７を介してタイマー１８０を制御すべく供給して、可変抵抗１８５に電圧供給を行う。５Ｖの供給はライン２０８においても提供されて、レジスター２０９とコンデンサー２１０を介してセンサー１５０と比較器１６９、１７０を駆動する。ライン２１１はレジスター２１２、２１３、２１４を含んでおり、ライン２１５はレジスター２１６、２１７を含んでいる。
【００５４】
図８に示す実施例においては、図７と同じ参照数字は同じ要素を示す。センサー３００は熱分解・電気運動センサー集積回路である。センサー３００は受動赤外線要素、増幅器および比較器出力回路を有している。人間がセンサー３００を過ぎて歩くと、身体により発生された熱がセンサーにより検知され、低周波数信号が発生され、センサー３００内の集積回路により増幅され、信号がセンサー３００内の比較器回路に供給される。
【００５５】
これにより比較器回路は高となり、高出力信号がライン３０１上でトランジスター３０２に供給され、トランジスターがスイッチオンされてライン３０３は低となる。ライン３０３上の低信号はライン３０４を介してタイマー１８０を励動する。この実施例においては、可変抵抗１８５は可変ではなくて、コンデンサー１８６とともに遅延タイマーを構成する。このタイマー１８０は前の実施例と同様にリレー１８８を駆動して、前記と同様に出力端１９３、２００、２０１に出力を供給する。
【００５６】
媒体ファイルが上演を始めると、マルチメディアカードからのライン３１０は高くなり、トランジスター３１１がオンにされる。これにより集積回路３１３のピン３１２は低となる。１個の媒体ファイルが完了すると、ライン３１０が状態を変えてライン３１２を高に引き上げる。回路３１３のアクティブ出力はディップスイッチ（ｄｉｐｓｗｉｔｃｈ）３１４を介してトランジスター３１５に供給され、該トランジスターがトランジスター３１５をオンとする。これによりライン３１６は低となり、ライン１８１を介してのタイマーへの電力が遮断されてタイマーがリセットされ、メデイアプレーヤへの電力が遮断される。
【００５７】
スイッチ３１４は遮断前に最大４個の媒体ファイルの上演を可能とする。コンデンサー３１７は遅延を導入して誤再始動を防止する。タイマー１８０が時間一杯になると、リレーが状態を変えて、接点Ａ、Ｂが開き、前記のようにライン１９２を介しての媒体カードへの電力を遮断する。これによりビデオ表示が終了する。リレーの接点１９０が閉じて、コンデンサー１９５が放電し、次のサイクルの音響レベル制御に備える。
【００５８】
ディップスイッチ３１４は単一のまたは２個のまたは３個のまたは４個の広告の上演を可能とする。ディップスイッチは図８に示すひとつの位置に手動設定され、１、２、３または４個の広告が上演される（図８中に番号１、２、３、４で示す）。図８に示す位置では、１個の広告が上演される。ディップスイッチ３０４が図８中の位置４に調節されると、４個の広告全てが上演される。
【００５９】
タイマー１８０のオンタイムはライン１８１上の電力供給と可変抵抗１８５とコンデンサー１８６により構成されるＲ−Ｃ回路により設定される。例えば、オンタイムは最大５分として商品デモンストレーションなどのいかなる長い広告をも受容できるようにする。
【００６０】
各広告の終りに、回路３１３は対応する図８のアクティブピン１〜４に高信号を出力する。いかなるときも１個だけのピンがアクティブとなる。ディップスイッチの設定により、高出力がディップスイッチ３１４により設定されたピンにおいて受け取られる。これによりトランジスター３１５は導通してライン３０６が低となる。ライン３０６上の低はタイマー１８０をリセットし、リレー１８８を解放する。ついでシステムは待機モードに入る。
【００６１】
リレー接点１８９が開くと、電力はライン３２０を介して回路３２１には供給されず媒体プレーヤ入力端３２２に行く。
【００６２】
図８の実施例においては、リレー１８８はレジスター３５１と発光ダイオード３５２に並列接続されていて、タイマー３５１の状態を示す。例えば発光ダイオードがリレーと同時にタイマー１８０から電力を供給され、タイマー１８０がリレー１８８に電力を供給すると発光ダイオードが発光する。
【産業上の利用可能性】
【００６３】
この発明は電子工学の分野で広く利用されるものである。
【図面の簡単な説明】
【００６４】
【図１】好ましき実施例における棚テレビの形での表示システムの前面図である。
【図２】図１のシステムの底面図である。
【図３】図１のシステムの後面図である。
【図４】一実施例における表示システムのブロック線図である。
【図５】図４の一部の詳細図である。
【図６】図４の一部の詳細図である
【図７】この発明の他の実施例のブロック線図である。
【図８】最も好ましい実施例のブロック線図である。
【符号の説明】
【００６５】
１２：ケース
１４：表示スクリーン
２０：近接センサー
３０：検知器部
４０：高低音量制御器
５０：ビデオ・音響制御部
６０：ビデオ表示・音響出力部
７０：電源
９０：リレー
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
データ媒体と表示スクリーンと近接センサーと少なくとも１個のスピーカーと高低音量制御器とを有してなり、データ媒体はシステムにより表示されるべきデータを含んでおり、表示スクリーンはデータを表示するものであり、近接センサーは表示システム近くにおける人間の存在を検知しシステムを励動してデータを表示スクリーン上に表示させ、スピーカーは音響データを出力し、制御器は所定の時間に亙って音響データの音量を比較的高い音量から比較的低い音量に変化させて表示システムの方への人間の運動を近似してかつ人間が表示システムに近づくと快適な可聴音量を維持することを特徴とする表示システム。
【請求項２】
データ媒体と表示スクリーンとがテレビモニターとして形成されていることを特徴とする請求項１に記載のシステム。
【請求項３】
モニターがモニターを商店の棚に取り付ける取付け手段を有していることを特徴とする請求項２に記載のシステム。
【請求項４】
データ媒体がデータを有するコンパクトディスク、フラッシュメモリー記憶素子または磁気テープであることを特徴とする請求項１に記載のシステム。
【請求項５】
近接センサーが光センサーであることを特徴とする請求項１に記載のシステム。
【請求項６】
光センサーが光感知レジスターであることを特徴とする請求項５に記載のシステム。
【請求項７】
センサーがスイッチ要素を駆動し、スイッチ要素がリレーを駆動して電力をシステムに供給させてシステムを励動してデータを表示させることを特徴とする請求項１に記載のシステム。
【請求項８】
センサーは電源に並列接続されて第１のトランジスターに電力を供給し、第２のトランジスターが電源に並列接続されかつリレーに直列接続されており、第１のトランジスターが電源にも接続されており、センサーが光を受けると電流が第１のトランジスターに供給され該トランジスターをスイッチオンして、電流が第２のトランジスターに供給されず、センサーがシステムへの人間の接近を示す少ない光を受けると、第１のトランジスターがスイッチオフされて、電流を第２のトランジスターに供給して、第２のトランジスターをスイッチオンし、リレーを励動してリレースイッチを閉じさせ、電力がシステムに供給されて、データ媒体が表示スクリーン上における表示のためにデータを出力することを特徴とする請求項７に記載のシステム。
【請求項９】
タイマー回路がシステムへの電力を維持して、所定の時間に亘って表示を維持することを特徴とする請求項１に記載のシステム。
【請求項１０】
音量制御器が信号分割器を有しており、該分割器が増幅器入力端に接続されており、該入力端は少なくとも１個のスピーカーに音響信号を供給し、分割器はまたトランジスターに接続されており、充電要素がトランジスターに接続されており、充電要素が充電されると、トランジスターが徐々にオンにされて、信号分割器が信号の量を低減し、該信号は増幅器に供給され、増幅器は少なくとも１個のスピーカーから出力される音響データの音量を低減することを特徴とする請求項５に記載のシステム。
【請求項１１】
音量制御器は充電要素が充電される時間を設定するタイマーを有しており、トランジスターがオンにされて、音量が比較的高い音量から比較的低い音量に変化する時間を設定することを特徴とする請求項１０に記載のシステム。
【請求項１２】
充電要素がコンデンサーであることを特徴とする請求項１０に記載のシステム。
【請求項１３】
近接センサーが演算増幅器部分に接続されており、該増幅器部分は人間が検知されたときにセンサーからの出力を受け、ウインドー比較器が増幅器部分からの出力を受けてかつ制御出力を形成し、タイマー回路が制御出力を受けるとともに励動出力を提供してデータ媒体を励動し、表示スクリーンがデータを表示・上演し、タイマー回路により設定される所定の時間遅れの後でデータ媒体がスイッチオフされて、表示スクリーンおよびスピーカーにおけるデータの表示と上演が停止されることを特徴とする請求項１に記載のシステム。
【請求項１４】
タイマー回路からの励動出力が減衰タイマー回路を励動してある時間に亘って音響データの音量を減衰させることを特徴とする請求項１３に記載のシステム。
【請求項１５】
減衰回路がコンデンサーとＭＯＳＦＥＴトランジスターを有しており、該トランジスターが可変抵抗に接続されており、可変抵抗が音響データを受ける入力端とスピーカーに音響データを供給する出力端とを有しており、コンデンサーが充電されると、ＭＯＳＦＥＴトランジスターが徐々にオンにされて可変抵抗をアースし、これにより可変抵抗の出力端に供給される音響信号の減衰させることを特徴とする請求項１４に記載のシステム。
【請求項１６】
データが音響データを含んでおり、減衰タイマー回路がある時間に亘って音響データの音量を減衰させ、タイマー回路が減衰タイマー回路を励動することを特徴とする請求項１に記載のシステム。
【請求項１７】
データが複数の分離した広告を含んでおり、表示されるべき広告の数を示す信号を広告タイマー回路が出力し、表示されるべき広告の数に応じてスイッチが広告回路の出力端へ選択的に切り換わり、かつタイマーを遮断する信号を出力し、広告が上演された後で減衰回路が遮断されることを特徴とする請求項１６に記載のシステム。
【請求項１８】
スイッチの出力端がトランジスターに接続されており、該トランジスターがスイッチからの出力によりスイッチオンされて、所定の信号をタイマー回路に供給してタイマー回路をリセットすることを特徴とする請求項１７に記載のシステム。
【請求項１９】
減衰回路がコンデンサーとＭＯＳＦＥＴトランジスターとを有しており、該トランジスターが可変抵抗に接続されており、可変抵抗が音響データを受ける入力端と音響データをスピーカーに供給する出力端とを有しており、コンデンサーが充電されると、ＭＯＳＦＥＴトランジスターが徐々にオンにされて可変抵抗をアースし、これにより可変抵抗の出力端へ供給される音響信号を減衰させることを特徴とする請求項１８に記載のシステム。
【国際調査報告】
2007514206.tif 000011
2007514206.tif 000012
2007514206.tif 000013
2007514206.tif 000014
2007514206.tif 000015